(57)【特許請求の範囲】
【請求項１】
溝口部幅に対して底面幅を幅広に形成し、舗装路面に間隔を置いて設けた複数の嵌設用溝と、該各嵌設用溝に嵌設する弾性体とからなる舗装路面構造において、該弾性体は上部側に対して下部側が幅広の長尺体からなり、上端部分を長手方向に沿った切り欠き面に形成することにより、前記嵌設用溝の上端部分との間に砕氷用溝を形成し、かつ該上端部分を前記舗装路面から微小量突出させて前記嵌設用溝に嵌設してあることを特徴とする舗装路面構造。
【請求項２】
前記弾性体は、上端部分を縦断面略凸湾曲状に形成してあることを特徴とする請求項１記載の舗装路面構造。
【請求項３】
前記弾性体は、上端部分を縦断面略凸字状に形成してあることを特徴とする請求項１記載の舗装路面構造。
【発明の詳細な説明】
【技術分野】
【０００１】
本発明は、冬期に路面上に形成される氷層（アイスバーン）を破砕、剥離することにより、車両のスリップ及び歩行者の転倒を防止することができる舗装路面構造に関する。
【背景技術】
【０００２】
寒冷地では冬期に路面上に氷層が形成され、車両のスリップや歩行者の転倒などを誘発し、大変危険である。そこで、コンクリート盤１に間隔を置いて複数の溝２を形成し、その溝にコンクリート盤１と同一面を形成するようにゴム体３を嵌め込み、溝口部分に段落溝４ａ、４ｂを設けることによってゴム体３を表出させた凍結スリップ防止用の道路盤体がある。この道路盤体は、ゴム体３上を車両が走行することにより、タイヤを介してかかる車両の荷重（以下、タイヤ圧と称する。）でゴム体３が段落溝４ａ、４ｂに膨張変形しながら弾力的に沈み、そして車両の通過により元の状態に復元して、その反復により道路上の氷を破砕するというものである。
【特許文献１】第２５６６５０９号特許公報
【発明の開示】
【発明が解決しようとする課題】
【０００３】
しかし、上述の道路盤体は、ゴム体３が膨張変形するための空間としてコンクリート盤１の嵌込用溝２の溝口に段落溝４ａ、４ｂを設けているが、嵌込用溝２の夫々に段落溝４ａ、４ｂを設ける作業は煩雑であり、コスト、手間がかかる。また、ゴム体３はコンクリート盤１と同一平面を形成するように嵌め込んであるから、タイヤ圧によるゴム体３の縦方向の伸縮量が小さく、氷の破砕効果が十分ではないという問題がある。さらに、縦断面略横長矩形状の各段落溝４ａ、４ｂ内に氷が棒状に形成されると、ゴム体３が段落溝４ａ、４ｂ内で横方向に膨出変形しながら弾力的に沈むことができず、氷を破砕することができないという問題もある。
【０００４】
本発明は上述した従来技術の諸欠点に鑑みなされたもので、路面に張った氷層をタイヤ圧を利用して破砕、剥離することにより車両のスリップ、歩行者の転倒を防止することができるし、施工費の抑制と施工期間の短縮を図ることができる舗装路面構造を提供することを目的とする。
【課題を解決するための手段】
【０００５】
上述した課題を解決するために構成した本発明の手段は、溝口部幅に対して底面幅を幅広に形成し、舗装路面に間隔を置いて設けた複数の嵌設用溝と、該各嵌設用溝に嵌設する弾性体とからなる舗装路面構造において、該弾性体は、上部側に対して下部側が幅広の長尺体からなり、上端部分を長手方向に沿った切り欠き面に形成することにより、前記嵌設用溝の上端部分との間に砕氷用溝を形成し、かつ該上端部分を前記舗装路面から微小量突出させて前記嵌設用溝に嵌設したことにある。
【０００６】
また、前記弾性体は、上端部分を縦断面略凸湾曲状に形成するとよい。
【０００７】
更に、前記弾性体は、上端部分を縦断面略凸字状に形成するとよい。
【発明の効果】
【０００８】
本発明は上述の如く構成したから、下記の諸効果を奏する。
（１）路面に形成した嵌設用溝に、上端部分を路面より微小量突出させた状態で弾性体を嵌設し、かつ嵌設用溝と弾性体の上端側の間に破砕用溝を形成することにより、路面上に形成される氷層の厚さを不均一にしたから、タイヤ圧で変形する弾性体は路面上の氷層を確実に破砕することができ、スリップのない安全な路面にすることができる。
（２）弾性体は上端部分を路面より微小量突出させた状態で嵌設用溝に嵌設してあり、かつ上端部分の幅方向両側が砕氷用溝になっているから、タイヤ圧を受けた弾性体は横方向及び縦方向の両方向に変形することで氷層を確実に破砕することができる。
（３）砕氷用溝は、弾性体の上端部分を切欠くことにより形成するようにしたから、舗装道路の施工費を低く抑えることができるし、短期間で施工することができる。
（４）嵌設用溝は溝口部幅に対して底面幅を幅広に形成し、弾性体は上部側に対し下部側を幅広に形成したから、施工、取り外し、交換が簡単でありながら、弾性体が不用意に外れることを防止することができる。
（５）砕氷用溝は排水路として機能し、路面上に溜まる雨水や氷が溶けた水を路外に排出することができる。
（６）弾性体は上面を略凸湾曲状又は凸字状に形成することにより、除雪作業車のスノープラウ等により削り取られたり、嵌設用溝から引き出されることを防止するようにしたから、長期間に渡って使用することができ、交換回数を減らしてコストの削減を図ることができる。
【発明を実施するための最良の形態】
【０００９】
以下、本発明の実施の形態を図面に基づき説明する。図において、１はアスファルト製の舗装路面を示す。２、２、・・は該舗装路面１に適宜間隔を空けて、車両の走行方向と直交する方向に形成した複数の長尺の嵌設用溝を示す。なお、嵌設用溝２は車両の走行方向と直行する方向に限られず、走行方向と平行に設けてもよい。該嵌設用溝２は、側面２Ａ、２Ａを溝口部２Ｂから底面２Ｃに向かうに従い外側へ拡開するテーパー面に形成することにより、溝口部幅Ｗ１に比べて底面幅Ｗ２が広い断面略台形型に形成してある。本実施の形態では各種試験の結果、各嵌設用溝２の形成間隔は、３０ｍｍ〜５０ｍｍとしてあり、嵌設用溝２の寸法は、深さＤ１５ｍｍ、溝口部幅Ｗ１６ｍｍ、底面幅Ｗ２８ｍｍとしてある。溝口部幅Ｗ１６ｍｍはグルービングの試験結果より定めた寸法であり、６ｍｍにすることによりタイヤが嵌設用溝２に食い込んでグリップ力が上がり、また、路面の排水力を向上させることができる。
【００１０】
３は、前記各嵌設用溝２内に嵌設してある長尺の弾性体を示す。該弾性体３は、側面３Ａ、３Ａを上端から下端に向けて拡開するように傾斜するテーパー面に形成することによって、断面略台形型の嵌設用溝２に嵌合するように構成してあり、上方から押し込むことにより嵌設用溝２内に嵌設してある。また、弾性体３は左右上端側を長手方向に切欠し、上面を凸湾曲状に形成することにより、縦断面略凸湾曲状の上端部分３Ｂが形成してある。かくして、嵌設用溝２の側面上部２Ａ１と該上端部分３Ｂの間には、長手方向に沿って左右に夫々、長尺の砕氷用溝４、４が形成される。なお、弾性体３の高さは１５．５ｍｍ〜１６ｍｍに形成するとよい。そうすることにより上端部分３Ｂが舗装路面１から０．５ｍｍ〜１ｍｍ突出することになり、上端部分３Ｂの伸縮量を大きくすることができる。
【００１１】
本実施の形態は上述の構成からなっており、次にその作用について説明する。寒冷地では気温が下がる冬期に、舗装路面１と弾性体３上に連なって氷層が形成される。車両が氷層を介して弾性体３上を走行すると、車両のタイヤ圧によって図４に示すように弾性体３の上端部分３Ｂは上部から押圧される。そうすると、嵌設用溝２の側面上部２Ａ１と弾性体３の上端部分３Ｂの間に砕氷用溝４を形成してあるから、嵌設用溝２から突出している上端部分３Ｂは砕氷用溝４内に横方向に膨張変形し、縦方向に圧縮される。これにより、氷層の形状が変化してタイヤ圧によって氷層を破砕することができる。そして、車両が弾性体３上を通過すると、上端部分３Ｂは車両のタイヤ圧から解放されて元の状態に復元するから、弾性体３が上の氷層を押し上げて破砕する。弾性体３上を車両が走行する度にこの圧縮と復元が繰り返し行われ、路面上の氷層を確実に破砕することができる。
【００１２】
また、砕氷用溝４は下に向かうに従い窄まっていく断面略逆三角形状に形成してあるから、砕氷用溝４内で形成される氷層も下に向かうに従い薄くなっていくので、弾性体３の膨張変形によって破砕することが可能である。
【００１３】
弾性体３は、上端部分３Ｂを嵌設用溝２から突出させてあるから、タイヤ圧による弾性体３の圧縮と復元の幅の落差が大きく、より確実に氷を破砕することができる。破砕された氷は路面から容易に剥離するので、路面の氷層によって車両がスリップしたり、歩行者が転倒することを防ぐことができる。  
【００１４】
弾性体３の上端部分３Ｂは嵌設用溝２から微小量突出しているが、上端部分３Ｂは凸湾曲状に形成してあり、さらに該上端部分３Ｂの両側には砕氷用溝４が形成してあるから、弾性体３上を除雪作業車が除雪作業時に通過してスノープラウが該上端部分３Ｂに当接しても、上端部分３Ｂは逃げるように撓曲し、スノープラウが上端部分３Ｂに引っ掛かることがなく、上端部分３Ｂが削り取られたり、嵌設用溝２から引き出されることがなく、長期間使用することができる。
【００１５】
嵌設用溝２を車両の走行方向と直交する方向で道路の中間から路肩へ向けて設けることにより、砕氷用溝４は排水路として機能し、路面１上に溜まる雨水や氷の溶けた水を勾配によって路外に排出することができる。また、嵌設用溝２を車両の走行方向と平行に設けることにより、車両の走行を利用して水を砕氷用溝４に沿って拡散させて、路面１上の一箇所に溜まることを防ぐことができる。
【００１６】
なお、本実施の形態では、舗装路面１に嵌設用溝２を直接設ける構造にしてあるが、工場においてコンクリート盤に嵌設用溝２を設け、該コンクリート盤を路面に嵌設するという構成にしてもよい。このように構成することにより路面上における施工期間を短縮することができる。
【００１７】
また、弾性体３の上端部は凸湾曲状に限られず、図５に示すように凸字状に形成してもよい。凸字状に形成しても、凸湾曲状に形成した場合と同様の諸効果を奏することができる。
【図面の簡単な説明】
【００１８】
【図１】本発明の実施の形態に係る舗装路面構造の部分断面図である。
【図２】舗装路面構造の平面図である。
【図３】弾性体の通常の状態の断面図である。
【図４】弾性体の上端部分の拡大断面図である。
【図５】弾性体が車両のタイヤ圧で圧縮された状態を示す説明図である。
【図６】舗装補面構造の変形例を示す断面図である。
【符号の説明】
【００１９】
１    舗装路面
２    嵌設用溝
２Ｂ  溝口部
２Ｃ  底面
３    弾性体
３Ｂ  上端部分
４    砕氷用溝
【図１】
0005105531.tif 000002
【図２】
0005105531.tif 000003
【図３】
0005105531.tif 000004
【図４】
0005105531.tif 000005
【図５】
0005105531.tif 000006
【図６】
0005105531.tif 000007